(57)【要約】【課題】面積の大きな測定面部を被測定部位に当てて正確な皮下脂肪厚の測定を行うことができ、尚且つ未使用時にはコンパクトにできる皮下脂肪厚計を提供する。【解決手段】厚みの薄い扁平な装置本体３の厚み方向を向く表面に測定結果を表示するための表示部１０を設ける。装置本体３の厚み方向と直交する方向を向く側面３ａに測定面部１１を形成する。測定面部１１に被験者の被測定部位２０の皮下脂肪厚を測定するための発光部１５及び受光部１６を設ける。測定面部１１の幅を広げた状態と元の狭めた状態とに変更する測定面部幅変更手段を設ける。【選択図】図１
2008006221.tif 000002
【特許請求の範囲】
【請求項１】
厚みの薄い扁平な装置本体の厚み方向を向く表面に測定結果を表示するための表示部を設け、該装置本体の厚み方向と直交する方向を向く側面に測定面部を形成し、該測定面部に被験者の被測定部位の皮下脂肪厚を測定するための発光部及び受光部を設け、測定面部における装置本体の厚み方向の寸法を幅とし、該測定面部の幅を広げた状態と該広げた状態から元に狭めた状態とに変更するための測定面部幅変更手段を設けて成ることを特徴とする皮下脂肪厚計。
【請求項２】
前記測定面部幅変更手段により測定面部の幅を広げた状態で発光部及び受光部による皮下脂肪厚の測定を行える測定可能状態とし、且つ測定面部幅変更手段により測定面部の幅を元の状態に狭めた状態で発光部及び受光部による皮下脂肪厚の測定を行えない測定不能状態とする測定制限手段を設けて成ることを特徴とする請求項１に記載の皮下脂肪厚計。
【発明の詳細な説明】
【技術分野】
【０００１】
本発明は被験者の被測定部位の皮下脂肪厚を測定する皮下脂肪厚計に関する。
【背景技術】
【０００２】
従来から例えば特許文献１等に示すような光学式の皮下脂肪厚計が知られている。このものは厚みの薄い扁平な装置本体の厚み方向を向く表面に測定結果を表示する表示部を設け、装置本体の厚み方向と直交する方向を向く幅狭となった側面に測定面部を形成し、該測定面部に被験者の被測定部位の皮下脂肪厚を測定するための皮脂厚計測部を設けている。またこの特許文献１には皮下脂肪厚を計測する手段として光学式のものを採用することも記載されている。
【０００３】
しかし特許文献１に示すような皮下脂肪厚計にあっては扁平な装置本体の側面は幅狭で面積が小さく、このような幅狭の側面には幅が広い測定面部を形成することができない。このため測定面部に光学式の皮下脂肪厚を計測する手段として発光部及び受光部を設けた場合には、幅狭の測定面部を被験者の被測定部位に押し当てて対向接触させた状態で、発光部及び受光部による皮下脂肪厚の測定を行わなければならない。従ってこの場合、測定面部を被測定部位に垂直に当てることが難しく、また発光部から照射された光とは別に外部からの光が受光部や被測定部位に進入しやすく、また発光部から照射された光が外部に漏れやすく、これらの理由により、正確な皮下脂肪厚の測定を行うことが困難になる。また装置本体を厚くすれば、測定面部の幅を大きく形成できるが、この場合は装置本体が大型になってしまう。
【特許文献１】特開２００３−１５９２２７号公報
【発明の開示】
【発明が解決しようとする課題】
【０００４】
本発明は上記従来の問題点に鑑みて発明したものであって、幅が広く面積の大きな測定面部を被測定部位に当てて正確な皮下脂肪厚の測定を行うことができ、尚且つ未使用時にはコンパクトにできる皮下脂肪厚計を提供することを課題とするものである。
【課題を解決するための手段】
【０００５】
上記課題を解決するために本発明に係る皮下脂肪厚計は、厚みの薄い扁平な装置本体３の厚み方向を向く表面に測定結果を表示するための表示部１０を設け、該装置本体３の厚み方向と直交する方向を向く側面３ａに測定面部１１を形成し、該測定面部１１に被験者の被測定部位２０の皮下脂肪厚を測定するための発光部１５及び受光部１６を設け、測定面部１１における装置本体３の厚み方向の寸法を幅とし、該測定面部１１の幅を広げた状態と該広げた状態から元に狭めた状態とに変更するための測定面部幅変更手段を設けて成ることを特徴とする。このように発光部１５及び受光部１６を設けた測定面部１１の幅を変更する測定面部幅変更手段を設けることで、皮下脂肪厚の測定時には測定面部１１の幅を広げることができ、測定面部１１を被験者の被測定部位２０に確実に垂直に当てることができ、また外部からの光が受光部１６や被測定部位２０に進入したり、発光部１５から照射された光が外部に漏れ出たりすることを防止できる。また未使用時には測定面部１１の幅を狭めることができコンパクトにできる。
【０００６】
また請求項２は請求項１において、前記測定面部幅変更手段により測定面部１１の幅を広げた状態で発光部１５及び受光部１６による皮下脂肪厚の測定を行える測定可能状態とし、且つ測定面部幅変更手段により測定面部１１の幅を元の状態に狭めた状態で発光部１５及び受光部１６による皮下脂肪厚の測定を行えない測定不能状態とする測定制限手段を設けて成ることを特徴とする。このような測定制限手段を設けることで、測定面部１１の幅が狭くなった未使用時の形態で皮下脂肪厚を測定するといった誤った測定が行われることを防止できる。
【発明の効果】
【０００７】
請求項１に係る発明では、皮下脂肪厚の測定時に測定面部の幅を広げることができ、これにより測定面部を被験者の被測定部位に確実に垂直に当てることができ、また外部からの光が受光部や被測定部位に進入したり、発光部から照射された光が外部に漏れ出たりすることを防止でき、正確に皮下脂肪厚を測定でき、また未使用時には測定面部の幅を狭くして装置本体をコンパクトにできる。
【０００８】
また請求項２に係る発明では、請求項１に係る発明の効果に加えて、測定面部の幅が狭くなった未使用時の形態で皮下脂肪厚を測定するといった誤った測定が行われることを防止でき、皮下脂肪厚を正確に測定できる。
【発明を実施するための最良の形態】
【０００９】
以下、本発明を添付図面に示す実施形態に基づいて説明する。図１に示す本実施形態の皮下脂肪厚計１は、装置本体３と、該装置本体３とは別体で上に載った被験者の体重を計測するための体重計２とで構成されて体組成計をなすものである。体重計２と装置本体３は通信手段としてのケーブル４で接続してあり、体重計２と装置本体３間の測定データや操作入力の通信はケーブル４を介して行われる。
【００１０】
体重計２の上面部には体重計２側の計測用電極６を設けてあり、体重計２の後端部には電源スイッチ５を設けている。体重計２の上面の前端部には収納用段部７を設けてあり、収納用段部７には装置本体３を着脱自在に収納可能となっている。
【００１１】
装置本体３は全体として厚みを薄くした扁平な矩形板状、詳しくは長方形板状に形成されている。装置本体３は長手方向の両側端部を把持部８とし、被験者は各把持部８の夫々を手で把持して両手で装置本体３を保持した状態で後述するように皮下脂肪厚の測定を行う。
【００１２】
装置本体３の厚み方向と直交する方向を向く四方の側面のうちケーブル４の一端を接続した側面３ａ側を前側とし、反対側の側面側を後側とすると、装置本体３の前側の側面３ａには被験者の腹部等の被測定部位２０に対向接触させる測定面部１１を形成している。また測定面部１１の図１のａで示す装置本体３の厚み方向の寸法を測定面部１１の幅とすると、本発明の皮下脂肪厚計１は、測定面部１１の幅を装置本体３の厚みよりも広げた状態と該広げた状態から装置本体３の厚みと略同じとなる元の状態に狭めた状態とに変更するための測定面部幅変更手段を備えている。以下、測定面部１１及び測定面部幅変更手段について詳述する。
【００１３】
装置本体３の前側の側面３ａの中央には装置本体３の厚み方向の全長に亘る正面視矩形状の凹部１２を形成している。凹部１２の底面の中央部には被測定部位２０の一部に接触させることとなる突部１３を突出している。突部１３は装置本体３の長手方向に伸びる長方形状であり、平坦となった凹部１２の底面よりも５ｍｍ程度突出している。
【００１４】
突部１３には被験者の被測定部位２０の皮下脂肪厚を測定するための発光部１５と受光部１６を突部１３の先端面から露出するように設けている。発光部１５は被験者の被測定部位２０に赤外線又は可視光線からなる光を照射するものであり、受光部１６は発光部１５の近傍に位置して発光部１５から照射されて被測定部位２０に当たって反射した光を受光するものである。そしてこれら突部１３に設けた発光部１５及び受光部１６と後述の制御部とで、被測定部位２０の皮下脂肪厚を計測するための光学式の皮脂厚計測手段を構成している。
【００１５】
上記発光部１５と受光部１６を備えた皮脂厚計測手段による測定原理を図３に基づいて説明する。図３の１７、１８、１９の夫々は被測定部位２０の表皮、皮下脂肪層、筋肉層を示すものであるが、同図に示すように発光部１５から光を照射した場合、この光は皮下脂肪で散乱し、その内側の筋肉で吸収される。発光部１５から出た光は皮下脂肪が薄い場合は皮膚の表面方向への拡散は少なく、つまり皮膚の表面に戻る光が少なくまた広がりも少ない。このため発光部１５に届く光量は少なくなる。逆に皮下脂肪が厚い場合は発光部１５から出た光の散乱が多くなり、皮膚の表面に戻る光も多くなりまた広がりも大きい。このため発光部１５に届く光量は多くなる。つまり皮脂厚計測手段では発光部１５から照射した光の反射を利用して皮下脂肪厚を測定できるようになっている。
【００１６】
本実施形態では上記発光部１５及び受光部１６を具体的に以下に示すように設けている。即ち、装置本体３の突部１３の先端面に１つの発光部１５と複数（図示例では２つ）の受光部１６を設け、このうち一つの受光部１６は突部１３の先端面の中央に設けている。発光部１５と各受光部１６は皮下脂肪厚が０〜６０ｍｍ程度の測定が可能となるように各受光部１６を発光部１５から約１５〜４５ｍｍ離れた位置に配置してあり、また発光部１５として波長８５０ｎｍ付近の近赤外線を発するＬＥＤを用いて赤外線方式の皮脂厚測定手段としている。受光部１６を複数設けたのは皮膚の色素の差を補正する等して精度の高い測定をするためである。
【００１７】
測定面部１１は、前述の突部１３を含む凹部１２の底面部からなる第一測定面部と、装置本体３の厚み方向において突部１３の両側に配置される一対のスライド片２３からなる第二測定面部とで構成される。各スライド片２３の形状は正面視で他方のスライド片２３側に開口したコ字状に形成してあり、装置本体３の長手方向における中央には他方のスライド片２３側に開口する長方形状の開口部２５を形成している。つまり、各スライド片２３は突部１３を除く矩形枠状となった凹部１２の底面を装置本体３の厚み方向に二分割した形状となっている。
【００１８】
各スライド片２３は図１の矢印に示すように凹部１２の底面に沿って装置本体３の厚み方向にスライド可能に設けてあり、各スライド片２３を装置本体３の厚み方向に移動して、図１（ａ）に示すように各スライド片２３を近づけて凹部１２内に収納した状態と、図１（ｂ）に示すように各スライド片２３を離して凹部１２から突出した状態とに変更できるようになっている。
【００１９】
図１（ａ）に示すように両スライド片２３を凹部１２内に収納すると、スライド片２３の両側の端面同士が突き合わされて、両スライド片２３の開口部２５からなる長方形状の孔内に突部１３が収納される。この時、各スライド片２３の凹部１２の底面と反対側の外面が装置本体３の側面３ａや突部１３の先端面と略面一となって装置本体３の前側の側面３ａの一部を構成する。また第一測定面部の大部分を構成する凹部１２の突部１３を除く底面と第二測定面部を構成する各スライド片２３とが正面視で重複する。即ちこの場合、測定面部１１の幅は両スライド片２３の幅を足した寸法、つまり装置本体３の厚みと略同じ寸法となる。
【００２０】
また図１（ｂ）に示すように両スライド片２３を離した状態で配置すると、各スライド片２３が装置本体３の表裏面よりも突出する。この時、測定面部１１の幅は、図１（ａ）に示す状態と比べて各スライド片２３が装置本体３の表裏面から突出した長さ分だけ広くなる。つまり本実施形態では装置本体３に対してスライド移動可能に設けた各スライド片２３で測定面部幅変更手段を構成している。
【００２１】
また本実施形態の皮下脂肪厚計１には、図１（ｂ）に示すように上記測定面部幅変更手段により測定面部１１の幅寸法を広げた状態で発光部１５及び受光部１６による皮下脂肪厚の測定を行える測定可能状態とし、且つ図１（ａ）に示すように測定面部幅変更手段により測定面部１１を元の状態に狭めた状態で発光部１５及び受光部１６による皮下脂肪厚の測定を行えない測定不能状態とする測定制限手段を設けている。
【００２２】
測定制限手段は前記測定可能状態と測定不能状態を切替可能な装置本体３に内蔵した測定スイッチ２７と、該測定スイッチ２７を切替操作するスイッチ操作部２８とで構成される。測定スイッチ２７は装置本体３に内蔵した制御部を構成する基板２９に設けてあり、スイッチ操作部２８は基板２９に設けたばね３０により測定スイッチ２７の対向位置に支持されている。装置本体３の外郭を構成するハウジング３１において凹部１２の底面部を構成する部分、即ち図１（ｂ）に示すように測定面部１１の幅を狭くした場合に一方のスライド片２３によって覆われる部分には貫通孔３２を形成してあり、該貫通孔３２にはばね３０により支持されたスイッチ操作部２８の先側が位置している。
【００２３】
ばね３０はスイッチ操作部２８に装置本体３の外側に移動する方向に常時ばね力を付与しており、図１（ｂ）及び図３（ｂ）に示すように測定面部１１の幅を広げた場合、貫通孔３２に対向する位置にスライド片２３が存在しないため、スイッチ操作部２８の先端部は貫通孔３２から装置本体３の外側に突出し、この時スイッチ操作部２８は測定スイッチ２７に接触せず、これにより皮下脂肪厚計１は前記測定可能状態となる。また図１（ａ）及び図３（ａ）に示すように測定面部１１の幅を狭めた場合、スイッチ操作部２８はスライド片２３により基板２９側（即ち装置本体３の内側）に押し込まれ、これによりスイッチ操作部２８の基端は測定スイッチ２７に接触し、これにより皮下脂肪厚計１は前記測定不能状態となる。
【００２４】
なお上記スイッチ操作部２８及び測定スイッチ２７からなる測定制限手段は、例えば両スライド片２３のうち一方のスライド片２３を移動した場合に他方のスライド片２３が一方のスライド片２３の移動方向と反対方向に移動する連動機構を設けた場合、つまり測定面部１１の幅を広げるように一方のスライド片２３を装置本体３から突出するように移動した場合には他方のスライド片２３もこれに連動して装置本体３から突出するように移動し、且つ測定面部１１の幅を狭めるように一方のスライド片２３を凹部１２内に収納されるように移動した場合には他方のスライド片２３もこれに連動して凹部１２内に収納されるように移動するようにした場合には、図１（ｂ）に示すようにいずれか一方のスライド片２３に対応する部分にのみ設ければ良いが、例えば対となったスライド片２３の夫々が別々に移動する場合には、両スライド片２３が装置本体３から突出した図１（ｂ）に示す状態を検知するために各スライド片２３に対応する部分に設ける必要があり、この場合は両測定スイッチのいずれにもスイッチ操作部が接触していない状態が測定可能状態となり、それ以外が測定不能状態となる。
【００２５】
また本実施形態では装置本体３の各把持部８に装置本体３側の計測用電極９を設けてあり、これら装置本体３に設けた計測用電極９と体重計２に設けた計測用電極６と制御部で被験者の生体インピーダンスを計測するためのインピーダンス計測手段を構成している。
【００２６】
また図１に示すように装置本体３の表面の中央部には計測結果や入力値等を表示するための表示部１０を設けてあり、この装置本体３の表面の表示部１０と各把持部８の間の部分には、機器の操作や、身長、年齢、性別等の被験者の身体データの入力、表示切替等を行うための操作部２１を設けている。なお表示部１０の表示内容は装置本体３の前側を下、後側を上として表示される。
【００２７】
また演算装置や記憶装置を有する制御部は体重計２に内装している。記憶装置は、体重計２の荷重センサや体重計２及び装置本体３の計測用電極６、９で計測した計測データ、年齢や性別毎に予め統計的手法によって導き出した複数の演算式、演算装置で演算した演算値等を記憶するものである。また演算装置は前記計測データ及び演算式に基づいて体組成に関する計測結果を算出するものである。
【００２８】
そして上記皮下脂肪厚計１を用いて被験者の皮下脂肪厚を含む体組成に関する計測結果を得るには、例えば以下に示すように行う。
【００２９】
まず電源スイッチ５をオンにして、入力装置を構成する操作部２１により被験者の性別、年齢、身長等の身体データを入力する。入力が完了すると測定準備が完了し、被験者は床に載置した体重計２上に計測用電極６に足裏を接触させた状態で載ると共に、装置本体３の両把持部８を両手で把持した状態（即ち各計測用電極９に手を接触させた状態）で装置本体３を保持する。これにより体重計の荷重センサは荷重を検出する。また装置本体３や体重計２に設けた計測用電極６、９は被験者に所定の交流電流を供給してこの時の被験者にかかる電圧を検出する。そしてこれら荷重センサや計測用電極６、９の測定値（出力値）は演算装置に入力され、体重と生体インピーダンスが求められる。
【００３０】
次に被験者は皮下脂肪厚測定手段により被測定部位２０となる腹部等の皮下脂肪厚を計測する。皮脂厚計測手段による計測は、各スライド片２３を図１（ｂ）に示すように移動して測定面部１１の幅を広げて前記測定可能状態とした上で、前述したように装置本体３を両手で把持して、幅が広くなった測定面部１１の全体を被測定部位２０に押し当て、この状態で発光部１５から光を照射すると共に受光部１６で受光情報を検出し、この測定データから制御部が被測定部位２０の皮下脂肪厚を求める。なお測定面部１１を被測定部位２０へ押し当てる時の圧力をある程度大きくすると皮下脂肪厚はある値で収束し、測定精度が向上するので、前記発光部１５及び受光部１６による皮下脂肪厚の測定は測定面部１１を被測定部位２０に十分な圧力以上で押し当てた状態で行う。
【００３１】
そして上記皮脂厚計測手段による計測が終了すると、制御部は入力された年齢、性別により、複数の演算式の中から演算する演算式を選択し、演算装置により測定した体重、インピーダンス値、入力した身長データを演算式に代入して体脂肪量や体脂肪率等を演算し、これら測定結果と、前記体重と皮下脂肪厚の直接的な測定結果を表示部１０に表示し、この測定後に電源をＯＦＦとする。
【００３２】
上記したように本発明の皮下脂肪厚計１は、皮下脂肪厚を測定する際に測定面部幅変更手段により被験者の被測定部位２０に接触させる測定面部１１の幅を広げて面積を大きく確保できるので、測定面部１１を被測定部位２０に確実に垂直に当てることができ、また外部からの光が受光部１６や被測定部位２０に進入したり、発光部１５から照射された光が外部に漏れ出たりすることを防止でき、これらにより測定精度を向上できる。また未使用時には測定面部幅変更手段により測定面部１１の幅を狭めることができ、これにより装置本体３をコンパクトにできる。またこの発光部１５及び受光部１６を設けた測定面部１１を扁平な装置本体３の側面に形成したことで、例えば被測定部位２０が腹部である場合には、装置本体３を両手で把持して測定面部１１を腹部に当てた状態で、被験者は装置本体３の表面に設けた表示部１０を上方から視認でき、測定結果を測定直後に確認できるといった利点もある。
【００３３】
また本実施形態では測定面部１１の幅寸法を広げた状態で皮下脂肪厚の測定を行える測定可能状態とし、且つ測定面部１１を元の状態に狭めた状態で皮下脂肪厚の測定を行えない測定不能状態とする測定制限手段を設けたので、測定面部１１の幅が狭くなった図１（ａ）に示す形態で皮下脂肪厚を測定するといった誤った測定が行われることを防止でき、確実に図１（ｂ）に示すような測定面部１１の幅を広くした正しい形態で皮下脂肪厚を測定できる。
【００３４】
また本実施形態の皮下脂肪厚計にあっては図１（ｂ）に示すように凹部１２の底面から突出した突部１３に発光部１５及び受光部１６を設けたので、突部１３を測定面部１１と共に被験者の被測定部位２０に押し当てた際には、小さな力で突部１３を被測定部位２０に食い込ませることができて、この突部１３により発光部１５からの光が外部に漏れたり、受光部１６にノイズとなる外部からの光が入ったりすることを防止でき、皮下脂肪厚の測定の精度が一層向上する。
【００３５】
またこの測定面部１１の幅を広げた図１（ｂ）に示す状態では、装置本体３の凹部１２両側の部分と、各スライド片２３によって囲まれた部分が装置本体３の側面３ａよりも凹む凹所となり、この場合、装置本体３の凹部１２の両側部分及びがわに面、位２０に押し当てた際には、小さな力で突部３０面部各スライド片２３からなる凹所の周縁部がこの凹所の底面よりも突出した壁となって、この壁により発光部１５からの光が外部に漏れたり、受光部１６にノイズとなる外部からの光が入ったりすることを防止でき、皮下脂肪厚の測定の精度が一層向上する。
【００３６】
次に上記とは異なる実施形態を図５に示す。なお本実施形態では上記実施形態と同一の構成については同一の番号を付与し、重複する説明は省略する。
【００３７】
本実施形態の凹部１２は装置本体３の厚み方向の全長に亘って設けておらず、装置本体３の前側の側面３ａにおいて表面側の端部を残した部分に形成している。またスライド片２３を設けておらず、凹部１２と同大同形の長方形状で略板状をしたカバー３６の一端部を図示しない枢支部を介して装置本体３の裏面側の端部に回動可能に連結してあり、測定面部１１は突部１３を含む凹部１２の底面部からなる第一測定面部とカバー３６からなる第二測定面部で構成される。
【００３８】
カバー３６は枢支部を軸に回動することで、図５（ａ）に示すように凹部１２内に収納して凹部１２の底面に設けた突部１３を覆う状態と、ここから１８０度回動して図５（ｂ）に示すように装置本体３の前側の側面３ａと平行となる状態とに変更できるようになっている。
【００３９】
図５（ａ）に示す状態で凹部１２の底面に対向する面となるカバー３６の裏面には突部１３を収納可能な突部収納凹部３７を形成している。図５（ｂ）に示すように突部収納凹部３７は長方形状のカバー３６の４辺のうち、枢支部側の辺を除く３辺に連続した突起３８を突出することによって形成され、突部収納凹部３７の枢支部側は開口している。またこの突部収納凹部３７は正面視で突部１３よりもかなり大きい矩形状に形成してあり、カバー３６の中央位置に突部１３を収納可能となっている。
【００４０】
図５（ａ）に示すようにカバー３６を凹部１２内に収納した位置に配置すると、カバー３６の突部収納凹部３７と反対側の表面が装置本体３の側面３ａと面一となって装置本体３の前側の側面３ａの一部を構成する。またこの時、第一測定面部を構成する突部１３を含む凹部１２の底面と第二測定面部を構成するカバー３６とが正面視で重複する。即ちこの場合、測定面部１１の幅は装置本体３の厚みと略同じ寸法となる。
【００４１】
また図５（ｂ）に示すようにカバー３６を１８０度回動すると、カバー３６は装置本体の厚み方向を向く面の一面である裏面側に突出する。この時、測定面部１１の幅は、図５（ａ）に示す状態と比べてカバー３６が装置本体３の裏面から突出した長さ分だけ広くなる。つまり本実施形態では上記装置本体３に回動可能に設けたカバー３６で測定面部幅変更手段を構成している。
【００４２】
また本実施形態でも測定制限手段を設けている。なお本例における測定制限手段は、図５（ｂ）に示すスイッチ操作部２８を凹部１２の底面においてカバー３６の突起３８に対応する位置、即ち図５（ａ）に示すように閉じたカバー３６の突起３８によって押圧される位置に配置した点が異なるだけであり、その他の構成については図１に示す実施形態の測定制限手段と同様であるので、詳しい説明は省略する。
【００４３】
以上説明したように本実施形態では、図５（ｂ）に示すように測定面部１１の幅を広げて皮下脂肪厚の測定を行うことができ、また図５（ａ）に示すように測定面部１１の幅を狭めて未使用時にコンパクトにできる。また本実施形態では、未使用時に図５（ａ）に示すようにカバー３６を閉じて該カバー３６で発光部１５及び受光部１６を覆うことができ、発光部１５や受光部１６に汚れが付着して測定精度が低下することを防止できる。
【００４４】
また本実施形態でも、測定面部１１の幅を広げた図５（ｂ）に示す状態では、装置本体３の凹部１２の外周部分と、カバー３６の突起３８によって囲まれた部分が装置本体３の側面３ａよりも凹む凹所となり、この場合、装置本体３の凹部１２の外周部分と、カバー３６の突起３８からなる凹所の周縁部が凹所の底面よりも突出した壁となって、この壁により発光部１５からの光が外部に漏れたり、受光部１６にノイズとなる外部からの光が入ったりすることを防止でき、皮下脂肪厚の測定の精度が一層向上する。
【００４５】
なお上記図１や図５に示す実施形態では、装置本体３と体重計２の通信手段を有線のケーブル４としたが、体重計２と装置本体３の測定データとなる測定信号の授受ができれば通信手段は無線で通信を行う無線通信手段であっても良く、この場合は測定時に邪魔になるケーブル４等を設ける必要がない。また図１の突部１３を除く凹部１２の底面や、図５の突部１３を除く凹部１２の底面及び突部収納凹部３７の底面は反射率の低い黒色とすることが好ましく、この場合、発光部１５及び受光部１６による皮下脂肪厚の測定時に外部からの光の影響を受けにくくできて、測定精度を向上できる。また制御部は体重計２に設けたが、装置本体３に設けても良い。
【００４６】
また皮下脂肪厚計１は装置本体３と体重計２を備えたものとしたが、体重計２を設けずに皮下脂肪厚計１を装置本体３で構成しても良い。即ちこの場合、制御部は装置本体３に内蔵し、またインピーダンス計測手段は装置本体３に設けた計測用電極９と前記制御部で構成する。またこの装置本体３のみで皮下脂肪厚計１を構成した場合は、例えば操作部２１により上記身体データに加えて体重も身体データとして入力できるようにして、上記実施形態と同様の測定結果を得られるものとしても良いし、また皮下脂肪厚やインピーダンス値のみが測定結果として得られるものとする等、適宜設計変形可能である。
【００４７】
また上記図１や図５に示す実施形態ではスライド片２３やカバー３６を設けることで、測定面部１１や測定面部幅変更手段を構成したが、測定面部１１や測定面部幅変更手段としてはこれに限定されない。即ち、測定面部幅変更手段として第二測定面部を有する可動部材を備え、該可動部材を、第二測定面部が装置本体３の側面３ａに形成した第一測定面部に重複する重複位置と、第一測定面部に対して装置本体３の厚み方向にずれた非重複位置とのいずれかに変更して配置できるように装置本体３に対して移動可能に設け、該可動部材の第二測定面部を前記非重複位置に配置して第一測定面部とで幅広の測定面部１１を形成してあれば良い。
【図面の簡単な説明】
【００４８】
【図１】本発明の皮下脂肪厚計の実施の形態の一例を示し、（ａ）は測定面部の幅を狭くした装置本体の斜視図であり、（ｂ）は測定面部の幅を広くした装置本体の斜視図である。
【図２】同上の皮下脂肪厚計の全体斜視図である。
【図３】光学式の皮脂厚測定手段の説明図である。
【図４】同上の装置本体の要部断面図である。
【図５】他例を示し、（ａ）は測定面部の幅を狭くした装置本体の斜視図であり、（ｂ）は測定面部の幅を広くした装置本体の斜視図である。
【符号の説明】
【００４９】
１  皮下脂肪厚計
３  装置本体
３ａ  側面
１０  表示部
１１  測定面部
１５  発光部
１６  受光部
２０  被測定部位
【図１】
2008006221.tif 000003
【図２】
2008006221.tif 000004
【図３】
2008006221.tif 000005
【図４】
2008006221.tif 000006
【図５】
2008006221.tif 000007